(57)【要約】      （修正有）【課題】画筆の軸の太さが限定されてしまう上に、画筆が長手方向に移動することを防ぐためには画筆の軸に断面が歯車のようになった部分を形成する必要がある。つまり、筆筒を使わずに画筆を筆洗に固定するためには特定の画筆を使用する必要があるという問題があった。使用者の気に入った画筆を自由に選び、気に入った画筆を使用することの出来る筆洗いを提供する。【解決手段】筆洗本体に水槽を区切る仕切り壁を設けると共に、その仕切り壁の上方に画筆を固定する画筆押さえ片を配置した筆洗。【選択図】図１
2009051015.tif 000002
【特許請求の範囲】
【請求項１】
筆洗本体に水槽を区切る仕切り壁を設けると共に、その仕切り壁の上方に画筆を固定する画筆押さえ片を配置したことを特徴とする筆洗。
【請求項２】
前記画筆押さえ片を筆洗本体に対して着脱自在に取り付けたことを特徴とする請求項１記載の筆洗。
【請求項３】
前記画筆押さえ片を筆洗本体にヒンジ部を介して接続して設けたことを特徴とする請求項１記載の筆洗。
【請求項４】
前記画筆押さえ片を弾性体としたことを特徴とする請求項２、或いは、請求項３に記載の筆洗。
【請求項５】
前記筆押さえ片が、固定する画筆それぞれに対して独立して設けられていることを特徴とする請求項１〜請求項４のいずれかに記載の筆洗。
【請求項６】
前記画筆押さえ片に画筆載置手段を設けたことを特徴とする請求項１〜請求項５のいずれかに記載の筆洗。
【発明の詳細な説明】
【技術分野】
【０００１】
本発明は、主に水彩画を描く際に用いられる画筆を洗うための筆洗、特に、絵の具セット、パレット、画筆などをひとまとめにして持ち運ぶことができるスケッチセットに含まれる筆洗に関する。
【背景技術】
【０００２】
近年の学校教育、特に小学校での図工教育に用いられる水彩スケッチセットは筆洗の水槽にパレット、絵の具、画筆を収納した筆筒、雑巾などを収容し、さらに全体を専用のバッグに収納するという形態を持ったものが多い。
このような水彩セットは図工教育における水彩画に必要な道具がすべて一まとめになっており、全体としてコンパクトで小学生にも携帯しやすいことが大きな特徴である。
【特許文献１】特開２０００−２２５７９５号公報。
【発明の開示】
【発明が解決しようとする課題】
【０００３】
ところで、特開２０００−２２５７９５には、筆筒を使用することなく画筆を固定することができる筆洗が記載されているが、この構造では画筆の軸の太さが限定されてしまう上に、画筆が長手方向に移動することを防ぐためには画筆の軸に断面が歯車のようになった部分を形成する必要がある。
つまり、筆筒を使わずに画筆を筆洗に固定するためには特定の画筆を使用する必要があるという問題があった。
これでは使用者が気に入った画筆を自由に選ぶことができず、その結果、気に入った画筆を使用するために画筆の固定機構を使用できないばかりか、筆筒を別途購入する必要がでてきてしまう。
【０００４】
本発明ではこれらの問題を解決し、筆筒を使用することなく画筆を固定することができ、かつ、特定の画筆でなくとも多くの軸形状の画筆に対応することができる筆洗を提供することを課題とする。
【課題を解決するための手段】
【０００５】
本発明は、筆洗本体に水槽を区切る仕切り壁を設けると共に、その仕切り壁の上方に画筆押さえ片を配置したことを要旨とする。
【発明の効果】
【０００６】
本発明にかかる筆洗は、筆洗本体に水槽を区切る仕切り壁を設けると共に、その仕切り壁の上方に画筆を固定する画筆押さえ片を配置しているので、直接、筆洗に画筆を固定することができると共に、種々の画筆を選択することができる。
【発明を実施するための最良の形態】
【０００７】
図１、２、３は本発明にかかる筆洗の全体図である。筆洗１は絵の具セット１７とパレット１８を共に収納することができる大型の水槽１２と、筆洗１の略中央部に設けられたグリップ１１を間に挟んで設けられた小型の水槽１３、１４、１５の合計４つの水槽を持つように構成されている。
【０００８】
小型の水槽１３、１４、１５を別けている仕切り壁２０、２１は、その２つに画筆を渡して置くことができる程度の間隔をもって配置されており、３本以下の画筆１９を並べて置ける程度の長さを有しているが、これに限定されることはない。
【０００９】
仕切り壁２０、２１の上に画筆１９を置き、その上に画筆押さえ片２を嵌合・固定することにより、画筆押さえ片２に一体に成形された板バネ８を介して同じく一体に形成された筆固定部７が、画筆１９を仕切り壁２０、２１に向かって押さえ付けるので、画筆１９を筆洗１に対して固定することができるものである。
【００１０】
画筆押さえ片２はＵ字状の弾性変形部３５を介してグリップ側固定部５に設けられたグリップ側固定爪６を筆洗１のグリップ１０に設けられた被係合部２３に係合固定し、縁側固定部３に設けられた縁側固定リブ４を筆洗の縁２２に設けられた被係合部２４に係合固定しているので、筆洗１に対する固定位置はほとんど変化しない。
しかし、画筆１９を押さえ付けている筆固定部７は板バネ８を介して画筆押さえ片２と接続されているので、板バネ８がしなることによって画筆１９を筆洗１の仕切り壁２０、２１に押さえ付ける弾性力を発生させるものである。また、筆固定部７と板バネ８は３つ並んだ幅が仕切り壁２０、２１の長さのほぼ全体に渡るようになしている。このことにより、画筆１９を仕切り壁２０、２１上のどこに置いても画筆押さえ片２を嵌合・固定することによって確実に画筆１９を固定することができるものである。
さらに、筆固定部７は画筆１９を固定していない自然状態において、その端部３６が隣接する端部３７とわずかに上下位置が異なるように設計されている。これは、端部３６と隣接する端部３７の間に設けられている隙間に、画筆１９の軸の上端の頂点が引っかかり、隣り合う筆固定部７の間に画筆１９が固定されてしまうことを防ぐためである。この現象を防ぐことにより、板バネ８が過度に変形してしまうことを防ぎ、長期的には板バネ８の弾性力低下を防ぐことができるものである。
【００１１】
また、上記のような構造を採ることによって、画筆１９の軸の太さに限定されることなく画筆１９を固定することができる。また、本実施形態に於いては画筆を固定するための筆固定部７および板バネ８は３個設けられている。すなわち、最大３本の画筆１９を固定することができるが、画筆１９の軸の太さがひとつひとつ異なっても、筆固定部７および板バネ８がひとつひとつ独立しているので、画筆１９のそれぞれの固定する位置を限定する必要がない。
また、画筆１９の軸の太さが一定でない、例えば、テーパー形状であっても固定できるし、軸の断面形状が楕円や三角などの非円形であっても固定することが可能である。
【００１２】
また、画筆押さえ片２の本体部にはグリップ側固定爪６側に筆押さえ片２本体の剛性を確保するための補強リブ３８から一体に連なる爪９が２つ突出している。これは画筆押さえ片２を筆洗１に係合・固定する際に、この爪９をグリップ１０の下の空間の下限に干渉させることによって、グリップ側固定部５全体がグリップ１０の下に潜り込んでしまうことを防止している。
【００１３】
図７は筆洗の使用状態を示すものである。
取り外した画筆押さえ片２は、上下を反転させて筆洗係合部２６を筆洗１に設けられた筆置き係合部２５に係合させることで、３個の筆固定部７を筆置きとして利用できる。
また、画筆押さえ片２と筆洗１を上記のごとく係合させるとき、筆置き係合部２５に設けたリブ２８が、グリップ側固定部５に設けたくぼみ２７に係合することによって、画筆押さえ片２の不意な脱落を防ぐことができるようになしている。
このような構成を採ることにより、筆洗使用時において取り外した画筆押さえ片２の置き場所に困ることがなく、画筆押さえ片２を紛失してしまうリスクも軽減できるものである。
【００１４】
さらに、筆洗１は以下のような特徴を備えている。
大型の水槽１２と小型の水槽１３，１４，１５それぞれの壁面には児童が使用する際に水を入れ過ぎて筆洗から水をこぼしてしまうことがないよう、推奨水位を示す表示がなされている。さらに、筆を洗う際に、始めに大型の水槽１２で洗ったあと、小型の水槽１３ですすぎ、更に別の小型の水槽１４で仕上げのすすぎをするという水槽の推奨される使用順序を推奨水位と同様に数字で表示している。
また、絵の具を溶く・薄めるといった目的で水を使用するためにきれいな水を筆洗に保持しておく必要があるため、小型の水槽１５の壁面には「キレイ」という文字を表示している。
【００１５】
また、筆洗１の長手両端の上部にはグリップ１１が設けられている。グリップ１０は筆洗１を持ち運ぶ際に児童が指を掛けて筆洗１を把持できるよう、筆洗１との間に十分な空間をあけて設けられている。
水を入れた筆洗１を児童が持ち運ぶ際に、このグリップ１１を利用して筆洗１を保持するように指導することにより、持ち運びの際に児童が水をこぼすリスクを低減できるものである。
【００１６】
また、絵の具セット１７とパレット１８を大型の水槽１２に収納し、画筆押さえ片２を筆洗１に嵌合・固定した状態において、パレット１８の上端と、画筆押さえ片２の上端と、筆洗中央のグリップ１０の上端および筆洗の長手両端に設けられたグリップ１１の上端はすべて略同一平面上に存在し、かつ、その平面は筆洗１の底面と平行な面であるようになしている。これによって、バッグに収納した状態のスケッチセット全体を複数積み重ねて保管するような場合でも、バッグの剛性に頼ることなく、崩れにくく、安定した積み上げ状態を実現することが可能である。
【００１７】
図示した形状ではグリップ１１は筆洗１の端部から斜め上方に張り出しているが、実施形状は決してこの限りではない。筆洗１の長手両端壁面に横穴状の形状で設けることも可能であるし、スライド式で収納できるようになしてもよい。また、ヒンジ構造のような回動構造を介して取り付ければ、使用しないときはグリップを畳んでおくができるようになる。
【００１８】
また、大型の水槽１２の底面の一部には凹凸２９が設けられている。これは画筆１９を洗う際に穂先の部分をここに擦り付けるようにすることより、穂先を開いて隙間に入った絵の具を効率よく洗い落とせるようにするものである。
【００１９】
また、筆洗1の縁２２には半円弧状の窪みである筆置き１６が設けられている。筆置き１６は水槽をはさんで対面する位置に設けられており、対面する筆置き１６に画筆１９を渡して置くことによって、筆線１の上に画筆１９を置くことができるようになしたものである。
【００２０】
さらに、大型の水槽１２と小型の水槽１３、１４、１５を仕切る仕切り壁２０、２１、３９、４０には壁面と上端面で構成されるエッジを一部切欠くようにして、しごき部４１が設けられている。これは筆の穂先が含んだ水をしごく際に、穂先をしごき部４１に押し付けてしごくことにより、直線のエッジでしごく場合に比べてよりより多くの当接長を得ることができ、その結果、より効率的に水をしごくことができるものである。
【００２１】
大型の水槽１２および小型の水槽１３、１４、１５は全て、その壁面にテーパーが設けられており、底に向かって窄まっていく形状を持っている。そのため、射出成形時に金型からの離型性が良好なことは勿論、成形した筆洗1はその上に同形・別体の筆洗1を置いた場合、上に置いた筆洗1の底部が下側の筆洗1の水槽の中に入り込むようになるので、安定して、かつ省スペースでの重合載置が可能である。
【００２２】
図９に本発明にかかる実施例１を示す。本実施例は画筆押さえ片２を筆洗1に対して塑性変形によって機能するヒンジ部３０を介して一体に成形したものである。本実施例のような構造を採ることにより、画筆押さえ片２は筆洗１から分離させることができなくなるため、画筆押さえ片２を紛失する恐れがなくなる。
本実施例において、第一のヒンジ部３０は筆洗１の縁２２に接続されており、中間部４２を介して更に第二のヒンジ部４３を介して筆押さえ片２に接続している。
第一のヒンジ部３０と第二のヒンジ部４３が変形・回動することにより、筆押さえ片２は１８０°以上の回動が可能である。
また、第一のヒンジ部３０及び／または第二のヒンジ部４３は塑性変形によるものに限定されない。図１０に示すように複数の部品構成による蝶番３１を構成しても同様の効果が得られる。また、このような構成にした場合は塑性変形によるヒンジ部３０のようにクセがついてしまうことがないので、蝶番３１は設計者の意図した角度まで確実に回動することが可能である。よって、筆洗１を使用する際に、画筆押さえ部が筆洗１の内側に倒れこんだ位置で維持されてしまう恐れもなく、筆洗１を使用する上で邪魔になる恐れがない。
また、蝶番３１が１８０°回動したところで筆洗１と縁２２が当接して回動を停止するように構成することで、筆押さえ片２の筆固定部７を前記発明を実施するための最良の形態で示したように筆置きとして利用することもできる。
【００２３】
図１１に本発明にかかる実施例２の筆押さえ片を示す。本実施例は、前記発明を実施するための最良の形態において板バネ８で発生させていた、画筆１９を押さえ付ける弾性力をコイルスプリング３２で発生させるものである。このような構成を採ることにより、発生する弾性力の強さを設計者の意図した強さにコントロールしやすく、経年変化などによって弾性力が低下するリスクも低くなる。
また、図１２は、前記コイルスプリング３２にかわってゴムやウレタンなどの弾性体３３を用いた場合の要部拡大断面図である。このような構成であっても同様の効果が得られる。さらに、それらゴムやウレタンなどの弾性体３３は連続した１つの弾性体であっても、部分的に変形して弾性力を発生させることができる。よって、筆固定部７を介さずに直接画筆１９の軸を押さえ付けるように構成することで、弾性変形部を画筆１９の一本一本に対して独立して設ける必要がなく、一個の弾性体３３によって固定したい画筆１９のそれぞれに独立的に弾性力を付与させることができるものである。
【００２４】
図１３に本発明にかかる実施例３を示す。本実施例は、画筆１９を筆洗１に固定する際に画筆１９を載せる仕切り壁２０、２１に画筆１９を載せる半円弧状のくぼみ３４を設けたものである。このような構成を採ることで、筆固定部７にはくぼみ４４を設けなくとも、仕切り壁２０、２１のくぼみ３４によって画筆１９を固定する位置が決まるものであるが、筆固定部７にも前記実施例と同様にくぼみ４４を設けても良い。
尚、筆を固定する部分、例えば、くぼみ４４やくぼみ３４の表面に滑り止め効果を有する微細なローレット加工やウレタン塗装などを施しても良い。固定する筆や使用時に載置されている画筆の安定性がより向上するものとなる。
【図面の簡単な説明】
【００２５】
【図１】本発明にかかる筆洗の画筆収納状態における全体俯瞰図である。
【図２】本発明にかかる筆洗の全体俯瞰図であり、画筆を置いて、筆押さえ片を取り外した状態である。
【図３】本発明にかかる筆洗に絵の具セット・パレット・画筆を収納した状態である。
【図４】本発明にかかる筆洗の本体のみの図である。
【図５】本発明にかかる筆洗の側面図である。
【図６】筆押さえ片の側面図である。
【図７】筆洗に筆押さえ片を上下反転状態で係合した状態である。
【図８】筆洗に筆押さえ片を上下反転状態で係合したものに、画筆を置いた状態である。
【図９】本発明にかかる実施例１を示す図であり、筆押さえ片を側方に開いた状態の上方俯瞰図である。
【図１０】本発明にかかる実施例１のうち、ヒンジ部を２部品による蝶番構造としたものである。
【図１１】本発明にかかる実施例２の筆押さえ片である。
【図１２】本発明にかかる実施例２において、スプリングに変わって弾性体を配置した図である。
【図１３】本発明にかかる実施例３を示す情報俯瞰図である。
【符号の説明】
【００２６】
１      筆洗
２      筆押さえ
３      縁側固定部
４      縁側固定リブ
５      グリップ側固定部
６      グリップ側固定爪
７      筆固定部
８      板バネ
９      爪
１０    （中央）グリップ
１１    （両脇）グリップ
１２    大型の水槽
１３    小型の水槽
１４    小型の水槽
１５    小型の水槽
１６    筆置き
１７    絵の具セット
１８    パレット
１９    画筆
２０    仕切り
２１    仕切り
２２    縁
２３    被係合部
２４    被係合部
２５    筆置き係合部
２６    筆洗係合部
２７    くぼみ
２８    リブ
２９    凹凸
３０    ヒンジ部
３１    蝶番
３２    コイルスプリング
３３    弾性体
３４    くぼみ
３５    弾性変形部
３６    端部
３７    （隣接する）端部
３８    補強リブ
３９    仕切り壁
４０    仕切り壁
４１    しごき部
４２    中間部
４３    ヒンジ部
４４    くぼみ
【図１】
2009051015.tif 000003
【図２】
2009051015.tif 000004
【図３】
2009051015.tif 000005
【図４】
2009051015.tif 000006
【図５】
2009051015.tif 000007
【図６】
2009051015.tif 000008
【図７】
2009051015.tif 000009
【図８】
2009051015.tif 000010
【図９】
2009051015.tif 000011
【図１０】
2009051015.tif 000012
【図１１】
2009051015.tif 000013
【図１２】
2009051015.tif 000014
【図１３】
2009051015.tif 000015